(57)【要約】【課題】騒音を更に低減できる空気調和装置を提供することを目的とする。【解決手段】吸込口１と吹出口２を備えた本体ケース３と、本体ケース３内に設けた空気調和手段と、吸込口１から吸い込まれた空気を、送風路１１により、空気調和手段を介して吹出口から吹き出す送風手段５とからなり、送風手段５は、ケーシング部１２と、ケーシング部１２に固定されたモータ部１３と、モータ部１３によって駆動する羽根部１４とからなり、ケーシング部１２は、吸気口１６を有し樹脂成型された吸気側壁１７と、吸気側壁１７と対向しモータ部１３を設けたモータ側壁１８と、吸気側壁１７とモータ側壁１８との間の周囲を囲む外周壁１９と、吸気側壁１７とモータ側壁１８と外周壁１９とで囲まれる吐出口１５とからなり、吸気側壁１７には、補強部２０を設けたので、吸気側壁１７のそりを低減し、騒音を更に低減できる。【選択図】図３
2016065652.tif 000002
【特許請求の範囲】
【請求項１】
吸込口と吹出口を備えた本体ケースと、前記本体ケース内に設けた空気調和手段と、前記吸込口から吸い込まれた空気を、送風路により、前記空気調和手段を介して吹出口から吹き出す送風手段とからなり、前記送風手段は、ケーシング部と、前記ケーシング部に固定されたモータ部と、前記モータ部によって駆動する羽根部とからなり、前記ケーシング部は、吸気口を有し樹脂成型された吸気側壁と、前記吸気側壁と対向しモータを設けたモータ側壁と、前記吸気側壁と前記モータ側壁との間の周囲を囲む外周壁と、前記吸気側壁と前記モータ側壁と前記外周壁とで囲まれる吐出口とからなり、前記吸気側壁には、補強部を設けたことを特徴とする空気調和装置。
【請求項２】
前記補強部は、前記ケーシング部における外方へ窪んだ溝形状であることを特徴とする請求項１に記載の空気調和装置。
【請求項３】
前記補強部は、第１の方向に延びた第１の溝と、前記第１の方向と交差する第２の方向に延びた第２の溝とからなることを特徴とする請求項２に記載の空気調和装置。
【請求項４】
前記吐出口は、前記本体ケースにおける上方に開口し、前記第１の溝は、前記本体ケースにおける上下方向に延び、前記第２の溝は、前記本体ケースにおける左右方向に延びることを特徴とする請求項３に記載の空気調和装置。
【請求項５】
前記補強部は、前記ケーシング部における外方へ突出した深さ寸法が、幅寸法より小さいことを特徴とする請求項２から４のいずれかに記載の空気調和装置。
【請求項６】
前記吸気口の中心から前記第１の溝までの距離は、前記吸気口の中心から前記第２の溝までの距離と実質的に同じであることを特徴とする請求項２から５のいずれかに記載の空気調和装置。
【発明の詳細な説明】
【技術分野】
【０００１】
本発明は、一般家庭や事務所等で使用される空気調和装置に関するものである。
【背景技術】
【０００２】
従来、この種の空気調和装置は、吸込口と吹出口を備えた本体ケースと、本体ケース内に設けた空気調和手段と、吸込口から吸い込まれた空気を、送風路により、空気調和手段を介して吹出口から吹き出す送風手段とから構成している。送風手段は、ケーシング部と、ケーシング部に固定されたモータ部と、モータ部によって駆動する羽根部とからなる。ケーシング部は、吸気口を有し樹脂成型された吸気側壁と、吸気側壁と対向しモータを設けたモータ側壁と、吸気側壁とモータ側壁との間の周囲を囲む外周壁と、吸気側壁とモータ側壁と外周壁とで囲まれる吐出口とからなるものが知られている。（例えば、特許文献１参照）
【先行技術文献】
【特許文献】
【０００３】
【特許文献１】特開２００９−２５０５９６号公報
【発明の概要】
【発明が解決しようとする課題】
【０００４】
上記従来例の課題は、騒音の更なる低減である。
【０００５】
従来は、ケーシング部は、樹脂成型され、吸気口を有する吸気側壁と、吸気側壁と対向しモータを設けたモータ側壁と、吸気側壁とモータ側壁との間の周囲を囲む外周壁と、吸気側壁とモータ側壁と外周壁とで囲まれる吐出口とから構成していた。
特に、ケーシング部を樹脂成型する場合には、吸気側壁にそりが発生し、吸気口と羽根部との距離が一定にならない場合があった。これにより、騒音が増大する場合があった。
そこで、吸気側壁のそりを低減し、騒音の更なる低減を目的とするものである。
【課題を解決するための手段】
【０００６】
そして、この目的を達成するために、本発明は、吸込口と吹出口を備えた本体ケースと、前記本体ケース内に設けた空気調和手段と、前記吸込口から吸い込まれた空気を、送風路により、前記空気調和手段を介して吹出口から吹き出す送風手段とからなり、前記送風手段は、ケーシング部と、前記ケーシング部に固定されたモータ部と、前記モータ部によって駆動する羽根部とからなり、前記ケーシング部は、吸気口を有し樹脂成型された吸気側壁と、前記吸気側壁と対向しモータを設けたモータ側壁と、前記吸気側壁と前記モータ側壁との間の周囲を囲む外周壁と、前記吸気側壁と前記モータ側壁と前記外周壁とで囲まれる吐出口とからなり、前記吸気側壁には、補強部を設けたことを特徴としたものである。
【０００７】
これにより、所期の目的を達成するものである。
【発明の効果】
【０００８】
以上のように本発明は、吸込口と吹出口を備えた本体ケースと、前記本体ケース内に設けた空気調和手段と、前記吸込口から吸い込まれた空気を、送風路により、前記空気調和手段を介して吹出口から吹き出す送風手段とからなり、前記送風手段は、ケーシング部と、前記ケーシング部に固定されたモータ部と、前記モータ部によって駆動する羽根部とからなり、前記ケーシング部は、吸気口を有し樹脂成型された吸気側壁と、前記吸気側壁と対向しモータを設けたモータ側壁と、前記吸気側壁と前記モータ側壁との間の周囲を囲む外周壁と、前記吸気側壁と前記モータ側壁と前記外周壁とで囲まれる吐出口とからなり、前記吸気側壁には、補強部を設けたことを特徴としたものである。
【０００９】
すなわち、吸気側壁には、補強部を設けたので、吸気側壁のそりを低減し、騒音を更に低減できる。
【図面の簡単な説明】
【００１０】
【図１】本発明の実施の形態１の空気調和装置の斜視図
【図２】同空気調和装置の断面図
【図３】同空気調和装置のケーシング部の斜視図
【発明を実施するための形態】
【００１１】
以下、本発明の実施の形態について図面を参照しながら説明する。
【００１２】
（実施の形態１）
図１は、本発明の実施の形態１の空気調和装置を示す斜視図である。
【００１３】
図１に示すように、空気調和装置は、吸込口１と吹出口２を備えた略箱形状の本体ケース３と、この本体ケース３内に、空気調和手段である加湿手段４と、後述する送風手段５と、空気調和手段である空気清浄手段６とを備えている。
【００１４】
本体ケース３における前面側の周縁部付近には、環状の吸込口１が設けられている。本体ケース３の天面における背面側には、吹出口２が備えられている。
【００１５】
本体ケース３の下部には、着脱自在に加湿手段４が設けられている。加湿手段４は、水を貯水する椀形状の貯水容器部７と、この貯水容器部７内の水に一部が浸漬する加湿体部８と、加湿体部８を保持し、貯水容器部７に着脱自在な保持体９とから構成している。すなわち、本体ケース３の一方側側面（右側）下部の開口である加湿手段装着部１０から、貯水容器部７を水平方向へ引き出すと、図１の状態となる。
【００１６】
図２は、本発明の実施の形態１の空気調和装置の断面図である。図２は、本体ケース３における右側から見た断面図である。
【００１７】
吸込口１と吹出口２と連通する送風路１１が設けられている。この送風路１１には、空気清浄手段６、加湿手段４、送風手段５が順次設けられている。
【００１８】
空気清浄手段６は、１例として、本体ケース３における前方から見ると、縦長の四角形状である集塵ファイルターである。
【００１９】
送風手段５は、加湿手段４の上方に設けられている。送風手段５は、スクロール形状の樹脂成型部品であるケーシング部１２と、このケーシング部１２に固定されたモータ部１３と、このモータ部１３によって回転する羽根部１４とから構成している。ケーシング部１２は、本体ケース３における天面側には、吐出口１５を備え、本体ケース３における背面側には、吸気口１６を備えている。吸気口１６は、本体ケース３の左右方向におけるほぼ中央に設けられている。
【００２０】
ケーシング部１２は、吸気口１６を有し樹脂成型された吸気側壁１７と、吸気側壁１７と対向しモータを設けたモータ側壁１８と、吸気側壁１７とモータ側壁１８との間の周囲を囲む外周壁１９とを備え、これら吸気側壁１７とモータ側壁１８と外周壁１９とで囲まれた吐出口１５を有している。
【００２１】
続いて、空気の流れについて説明する。送風手段５によって、本体ケース３の吸込口１から吸い込まれた空気は、まず、空気清浄手段６へ流れる。ここで、空気中の埃等が捕集される。この空気清浄手段６に流れた空気は、主に空気清浄手段６の背面側の風路を介して下方へ流れ、加湿手段４の本体ケース３における前面側上部より、加湿手段４へ流れ込む。加湿手段４へは、前面側上部より斜め下方へ流れ込む。この加湿手段４へ流れ込んだ空気は、加湿体部８を通過する。ここで加湿される。この加湿された空気は、加湿手段４の本体ケース３における背面側上部より、上方の風路へ流れ込む。この風路は、加湿手段４と送風手段５とを連通する風路で、送風手段５の本体ケース３における背面側に上下方向に延びている。この風路へ流れ込んだ空気は、送風手段５の吸気口１６から送風手段５へ入り、送風手段５の吐出口１５を介して吹出口２から上方へ吹き出す。
【００２２】
図３は、本発明の実施の形態１の空気調和装置のケーシング部の斜視図である。図３は、ケーシング部１２の外方から見た斜視図である。
【００２３】
本実施形態における特徴は、吸気口１６を有し樹脂成型された吸気側壁１７に、補強部２０を設けた点である。このように、吸気側壁１７には、補強部２０を設けたので、吸気側壁１７のそりを低減し、吸気口１６の周縁部１６Ａと羽根部１４との距離が一定に近づくので、騒音を更に低減できる。
【００２４】
補強部２０は、ケーシング部１２における外方へ窪んだ溝形状である。補強部２０は、ケーシング部１２における外方へ突出しており、ケーシング部１２内には、突出していない。すなわち、補強部２０がケーシング部１２内に突出する場合に比べ、ケーシング部１２内における、羽根部１４と補強部２０との距離が離れるので、補強部２０での風きり音の発生を低減できる。
【００２５】
また、補強部２０は、ケーシング部１２の吸気口１６における中心軸方向から見ると、四角形状である。これにより、補強部２０は、ケーシング部１２における内方が開口した箱形状となる。すなわち、単にリブを立てた場合に比べ、強度が向上し、吸気側壁１７のそりを低減できる。
【００２６】
また、ケーシング部１２の外方、つまり吸気側壁１７の外面も風路となるので、ケーシング部１２の外面に、単にリブを立てた場合に比べ、補強部２０である溝形状が、ケーシング部１２における外方へ突出していると、平面部２３を有するので、ケーシング部１２の外面での圧力損失の発生を低減できる。
【００２７】
また、補強部２０は、第１の方向に延びた第１の溝２１と、第１の方向と交差する第２の方向に延びた第２の溝２２とからなる。
【００２８】
これにより、第１の溝２１と第２の溝２２とが一体になり、吸気側壁１７のそりを低減できる。
【００２９】
また、吐出口１５は、本体ケース３における上方に開口し、第１の溝２１は、本体ケース３における上下方向に延び、第２の溝２２は、本体ケース３における左右方向に延びている。第１の溝は、ケーシング部１２における吐出口１５の近傍から下方へ延びている。第２の溝は、ケーシング部１２における吸気口１６より下方に設けられている。このように、第１の溝２１と第２の溝２２との間に吸気口１６を備えているので、吸気側壁１７において、特に吸気口１６でのそりを低減できる。結果として、吸気口１６の周縁部１６Ａと羽根部１４との距離が一定に近づくので、騒音を更に低減できる。
【００３０】
また、補強部は、ケーシング部１２における外方へ突出した深さ寸法Ａが、幅寸法Ｂより小さい。具体的には、深さ寸法Ａは、ケーシング部１２の厚みとほぼ同じか、羽根部１４の高さ寸法（本体ケースにおける奥行き寸法）に対して９分の１までの深さで構成されている。
【００３１】
これにより、羽根部１４の周囲を構成するケーシング部１２に沿って形成される、ケーシング部１２内面の送風路の凹凸を抑えることで、圧力損失の発生を低減し、風量の低下、騒音の増大を抑えることができる。
【００３２】
また、吸気口１６の中心から第１の溝２１までの距離は、吸気口１６の中心から第２の溝２２までの距離と実質的に同じである。
【００３３】
これにより、羽根部１４に対して等間隔での距離関係にあるため、羽根部１４に対して一定の圧力変化になると考えられる。そのため風の圧力変化が一定に変化するため、急激な圧力変化を風路内に起こさない形状になっており、ケーシング部１２内の風の乱流が最小限に抑えられる。そのため、吹出口２から出て行く風量の低下を抑えるとともに、発生する騒音を上げることが無い効果を得られることが出来る。
【００３４】
また、単にリブを立てた場合に比べ、面を落とすことで、吸気側壁１７に対して垂直方向へ延びた筒形状の筒部２４によって、吸気側壁１７が、多数の面に分けられる。これにより、吸気側壁１７の面積に比べ、それぞれ分けられた面の面積が小さくなり、それぞれの面での変形量を小さくできる。結果として、凹凸形状そのものに強度を確保することが出来る。なお筒部２４は、深さ寸法Ａの部分である。
【産業上の利用可能性】
【００３５】
以上のように本発明は、吸込口と吹出口を備えた本体ケースと、前記本体ケース内に設けた空気調和手段と、前記吸込口から吸い込まれた空気を、送風路により、前記空気調和手段を介して吹出口から吹き出す送風手段とからなり、前記送風手段は、ケーシング部と、前記ケーシング部に固定されたモータ部と、前記モータ部によって駆動する羽根部とからなり、前記ケーシング部は、吸気口を有し樹脂成型された吸気側壁と、前記吸気側壁と対向しモータを設けたモータ側壁と、前記吸気側壁と前記モータ側壁との間の周囲を囲む外周壁と、前記吸気側壁と前記モータ側壁と前記外周壁とで囲まれる吐出口とからなり、前記吸気側壁には、補強部を設けたことを特徴としたものである。
【００３６】
すなわち、前記吸気側壁には、補強部を設けたので、吸気側壁のそりを低減し、騒音を更に低減できるので、加湿、空気清浄、加湿空気調和装置等の空調機等として有用である。
【符号の説明】
【００３７】
１      吸込口
２      吹出口
３      本体ケース
４      加湿手段
５      送風手段
６      空気清浄手段
７      貯水容器部
８      加湿体部
９      保持体
１０      加湿手段装着部
１１      送風路
１２      ケーシング部
１３      モータ部
１４      羽根部
１５      吐出口
１６      吸気口
１６Ａ    周縁部
１７      吸気側壁
１８      モータ側壁
１９      外周壁
２０      補強部
２１      第１の溝
２２      第２の溝
２３      平面部
２４      筒部
Ａ      深さ寸法
Ｂ      幅寸法
【図１】
2016065652.tif 000003
【図２】
2016065652.tif 000004
【図３】
2016065652.tif 000005